(57)【要約】【課題】放射能測定を行う際の作業者による操作性を向上し、誤入力を防止することができ、さらに入力メニューの項目及び表示順序を容易に変更可能として入力作業の能率向上を図ることができる入力支援装置を実現する。【解決手段】採取した試料を放射能測定装置１０にセットし、作業者は、入力支援装置１００のγ線核種分析システムのアプリケーションを起動させる。入力支援装置１００は、作業者により放射能測定に関する作業が指定された場合、当該作業に対応する第１の設定項目ごとに入力候補を表示させ、表示された入力候補のいずれかが選択されると当該入力候補を確定する。さらに、表示順序パターンが指定された場合、当該表示順序パターンに対応する第２の設定項目ごとに、該表示順序に従って該当するメニュー候補を表示させる。さらに、表示順序パターンの登録内容の変更入力内容に従って該当する登録内容を更新する。【選択図】　　図１
2004028657.tif 000002
【特許請求の範囲】
【請求項１】
放射能測定に関する作業ごとに対応付けされた第１の設定項目を格納する第１の設定項目格納手段と、
前記第１の設定項目ごとに対応付けされた入力候補を格納する入力候補格納手段と、
放射能測定に関する作業の入力メニューの表示順序パターンごとに対応付けされた第２の設定項目及び表示順序を格納する第２の設定項目格納手段と、
前記第２の設定項目ごとに対応付けされたメニュー候補を格納するメニュー候補格納手段と、
前記第２の設定項目格納手段の登録内容の変更入力を受け付け、変更入力内容に従って該当する登録内容を更新する登録内容変更手段と、
前記表示順序パターンが指定された場合、当該表示順序パターンに対応する第２の設定項目及び表示順序を参照し、該表示順序に従って前記第２の設定項目ごとに該当するメニュー候補を表示させ、且つ前記放射能測定に関する作業が指定された場合、当該作業に対応する第１の設定項目を参照し、前記第１の設定項目ごとに入力候補を表示させる表示制御手段と、
前記表示された入力候補のいずれかが選択されると当該入力候補を確定する確定手段と、
を備えたことを特徴とする入力支援装置。
【請求項２】
所定の帳票形式を有する帳票フォーマットと、
前記確定された入力候補に基づいて測定されたデータから求めた分析結果を前記帳票フォーマットと関連付けて出力する出力手段と、
をさらに備えたことを特徴とする請求項１記載の入力支援装置。
【請求項３】
前記分析結果に基づく出力内容を編集可能としたことを特徴とする請求項２記載の入力支援装置。
【請求項４】
放射能測定に関する作業ごとに対応付けされた第１の設定項目を格納する第１のステップと、
前記第１の設定項目ごとに対応付けされた入力候補を格納する第２のステップと、
放射能測定に関する作業の入力メニューの表示順序パターンごとに対応付けされた第２の設定項目及び表示順序を格納する第３のステップと、
前記第２の設定項目ごとに対応付けされたメニュー候補を格納する第４のステップと、
前記第２の設定項目格納手段の登録内容の変更入力を受け付け、変更入力内容に従って該当する登録内容を更新する第５のステップと、
前記表示順序パターンが指定された場合、当該表示順序パターンに対応する第２の設定項目及び表示順序を参照し、該表示順序に従って前記第２の設定項目ごとに該当するメニュー候補を表示させる第６のステップと、
前記放射能測定に関する作業が指定された場合、当該作業に対応する第１の設定項目を参照し、前記第１の設定項目ごとに入力候補を表示させる第７のステップと、
前記表示された入力候補のいずれかが選択されると当該入力候補を確定する第８のステップと、
を有することを特徴とする入力支援方法。
【請求項５】
放射能測定に関する作業ごとに対応付けされた第１の設定項目を格納する第１の設定項目格納機能、
前記第１の設定項目ごとに対応付けされた入力候補を格納する入力候補機能、放射能測定に関する作業の入力メニューの表示順序パターンごとに対応付けされた第２の設定項目及び表示順序を格納する第２の設定項目格納機能、
前記第２の設定項目ごとに対応付けされたメニュー候補を格納するメニュー候補格納機能、
前記第２の設定項目格納手段の登録内容の変更入力を受け付け、変更入力内容に従って該当する登録内容を更新する登録内容変更機能、
前記表示順序パターンが指定された場合、当該表示順序パターンに対応する第２の設定項目及び表示順序を参照し、該表示順序に従って前記第２の設定項目ごとに該当するメニュー候補を表示させ、且つ前記放射能測定に関する作業が指定された場合、当該作業に対応する第１の設定項目を参照し、前記第１の設定項目ごとに入力候補を表示させる表示制御機能、
前記表示された入力候補のいずれかが選択されると当該入力候補を確定する確定機能、
としてコンピュータを機能させることを特徴とする入力支援プログラム。
【発明の詳細な説明】
【０００１】
【発明の属する技術分野】
本発明は、入力支援装置、入力支援方法および入力支援プログラムに関する。
【０００２】
【従来の技術】
近年、放射性物質の使用現場やその周辺地域などでは放射能核種の測定、分析が実施されている。この放射能測定システムは、放射性核種を検出する放射能測定装置と、放射能測定装置と接続されているコンピュータから構成され、放射能測定装置で検出された放射性核種をコンピュータにおいて測定及び分析することが可能となってきている。作業者は、測定条件や試料条件などをコンピュータに入力して測定及び分析を実施する。
【０００３】
【発明が解決しようとする課題】
しかしながら、放射性核種の測定や分析をコンピュータで行う場合、試料の種類、形状、採取時刻、採取者名、採取場所、測定位置、効率情報、バックグランドなど、多数の入力項目について作業者が自分で考えて入力しなければならず、放射性核種測定に関して知識を有する者（熟練者）でないと、入力が容易ではないという問題がある。また、多数の入力候補を有する入力項目もあり、作業者が誤入力する恐れもある。このため、放射能測定を行う際の作業者による操作性を向上し、誤入力を防止することができる入力支援装置が要望されている。
【０００４】
さらに、作業者が入力を行う入力メニューの表示順序が固定されていると、入力作業の能率が悪いという問題もある。例えば、採取場所が決まると、この採取場所で採取可能な試料は特定される。反対に、試料が決まると、この試料を採取可能な採取場所は特定される。したがって、採取場所が優先される測定では、先ず採取場所を入力するための入力メニューを表示し、ここで採取場所の入力後に試料に関する入力メニューを表示するのが作業者にとってはスムーズな流れであり、能率的である。一方、試料が優先される測定では、先ず試料に関する入力メニューを表示し、この後、採取場所の入力メニューを表示する方がスムーズな流れであり、能率的となる。
【０００５】
また、入力メニューの項目が固定されていると、不要な入力メニューまで表示される場合があり、作業者が混乱する恐れもある。例えば測定位置の入力が不要であるにもかかわらず、測定位置の入力メニューが表示されると、作業者は戸惑うことになる。このため、入力メニューの項目及び表示順序を容易に変更することができる入力支援装置も要望されている。
【０００６】
本発明は、上記事情に鑑みてなされたもので、放射能測定を行う際の作業者による操作性を向上し、誤入力を防止することができ、さらに入力メニューの項目及び表示順序を容易に変更可能として入力作業の能率向上を図ることができる入力支援装置、入力支援方法および入力支援プログラムを提供することを目的とする。
【０００７】
【課題を解決するための手段】
上記の課題を解決するために、本発明の入力支援装置では、放射能測定に関する作業ごとに対応付けされた第１の設定項目を格納する第１の設定項目格納手段と、前記第１の設定項目ごとに対応付けされた入力候補を格納する入力候補格納手段と、放射能測定に関する作業の入力メニューの表示順序パターンごとに対応付けされた第２の設定項目及び表示順序を格納する第２の設定項目格納手段と、前記第２の設定項目ごとに対応付けされたメニュー候補を格納するメニュー候補格納手段と、前記第２の設定項目格納手段の登録内容の変更入力を受け付け、変更入力内容に従って該当する登録内容を更新する登録内容変更手段と、前記表示順序パターンが指定された場合、当該表示順序パターンに対応する第２の設定項目及び表示順序を参照し、該表示順序に従って前記第２の設定項目ごとに該当するメニュー候補を表示させ、且つ前記放射能測定に関する作業が指定された場合、当該作業に対応する第１の設定項目を参照し、前記第１の設定項目ごとに入力候補を表示させる表示制御手段と、前記表示された入力候補のいずれかが選択されると当該入力候補を確定する確定手段と、を備えたことを特徴とする。
このように、放射能測定に関する作業が指定された場合、当該作業に対応する第１の設定項目ごとに入力候補を表示させ、表示された入力候補のいずれかが選択されると当該入力候補を確定するので、放射能測定を行う際に、作業者による入力操作回数を減少することができ、操作性の向上を図ることができる。さらに、表示順序パターンが指定された場合、当該表示順序パターンに対応する第２の設定項目ごとに、該表示順序に従って該当するメニュー候補を表示させる。さらに、表示順序パターンの登録内容の変更入力内容に従って該当する登録内容を更新するので、入力メニューの項目及び表示順序を容易に変更することができる。
【０００８】
また、本発明の入力支援装置は、所定の帳票形式を有する帳票フォーマットと、前記確定された入力候補に基づいて測定されたデータから求めた分析結果を前記帳票フォーマットと関連付けて出力する出力手段と、をさらに備えたことを特徴とする。
このように、確定された入力候補に基づいて測定されたデータから求めた分析結果を帳票フォーマットと関連付けて出力するので、分析結果がそのまま帳票中に出力され、分析結果を帳票に書き写す手間を軽減することができる。
【０００９】
また、本発明の入力支援装置は、前記分析結果に基づく出力内容を編集可能としたことを特徴とする。
このように、分析結果に基づく出力内容を編集可能としたので、帳票のカスタマイズを容易に行うことができる。
【００１０】
上記の課題を解決するために、本発明の入力支援方法では、放射能測定に関する作業ごとに対応付けされた第１の設定項目を格納する第１のステップと、前記第１の設定項目ごとに対応付けされた入力候補を格納する第２のステップと、放射能測定に関する作業の入力メニューの表示順序パターンごとに対応付けされた第２の設定項目及び表示順序を格納する第３のステップと、前記第２の設定項目ごとに対応付けされたメニュー候補を格納する第４のステップと、前記第２の設定項目格納手段の登録内容の変更入力を受け付け、変更入力内容に従って該当する登録内容を更新する第５のステップと、前記表示順序パターンが指定された場合、当該表示順序パターンに対応する第２の設定項目及び表示順序を参照し、該表示順序に従って前記第２の設定項目ごとに該当するメニュー候補を表示させる第６のステップと、前記放射能測定に関する作業が指定された場合、当該作業に対応する第１の設定項目を参照し、前記第１の設定項目ごとに入力候補を表示させる第７のステップと、前記表示された入力候補のいずれかが選択されると当該入力候補を確定する第８のステップと、を有することを特徴とする。
【００１１】
上記の課題を解決するために、本発明の入力支援プログラムは、放射能測定に関する作業ごとに対応付けされた第１の設定項目を格納する第１の設定項目格納機能、前記第１の設定項目ごとに対応付けされた入力候補を格納する入力候補機能、放射能測定に関する作業の入力メニューの表示順序パターンごとに対応付けされた第２の設定項目及び表示順序を格納する第２の設定項目格納機能、前記第２の設定項目ごとに対応付けされたメニュー候補を格納するメニュー候補格納機能、前記第２の設定項目格納手段の登録内容の変更入力を受け付け、変更入力内容に従って該当する登録内容を更新する登録内容変更機能、前記表示順序パターンが指定された場合、当該表示順序パターンに対応する第２の設定項目及び表示順序を参照し、該表示順序に従って前記第２の設定項目ごとに該当するメニュー候補を表示させ、且つ前記放射能測定に関する作業が指定された場合、当該作業に対応する第１の設定項目を参照し、前記第１の設定項目ごとに入力候補を表示させる表示制御機能、前記表示された入力候補のいずれかが選択されると当該入力候補を確定する確定機能、としてコンピュータを機能させることを特徴とする。
これにより、前述の入力支援装置がコンピュータを利用して実現できるようになる。
【００１２】
【発明の実施の形態】
以下、図面を参照し、本発明の入力支援装置、入力支援方法および入力支援プログラムの好適な実施形態について詳細に説明する。
本実施形態の入力支援装置は、γ線核種分析プログラムに従って表示された入力画面において、作業者による必要最小限の入力操作で放射性核種の測定・分析・分析結果の出力を行うこと、及び入力メニューの項目及び表示順序の変更ができるようにしたものである。
【００１３】
図１は、本実施形態に係る入力支援装置１００を含む放射能測定システムの構成を示した図である。
図１において、入力支援装置１００には、ＭＣＡ（マルチチャネル分析器）２０が接続されている。また、ＭＣＡ２０は、放射能測定装置１０と接続されている。
放射能測定装置１０は遮蔽体とＧｅ半導体などの検出器から構成される。放射能測定装置１０において、遮蔽体には採取された試料が装填され、この装填された試料は、検出器によって放射能の検出が行われる。ＭＣＡ２０は、この放射能測定装置１０で測定された試料の測定結果を、図示のようなスペクトルデータに変換し、入力支援装置１００に入力するようになっている。
入力支援装置１００は、放射性核種の測定条件に関する作業の入力および解析装置として機能する。入力支援装置１００からＭＣＡ２０に入力された測定条件は、放射能測定装置１０の動作信号に変換される。また、ＭＣＡ２０から入力されたスペクトルデータに基づいて、入力支援装置１００は、γ線核種の分析を行う。すなわち、入力支援装置１００は、スペクトルデータに該当する放射能が何であるかを測定、分析し、分析結果を出力するようになっている。
【００１４】
以下、本実施形態の一例として、作業者が入力支援装置１００で放射能の測定を行う場合について説明する。
図２は、入力支援装置１００の具体的な構成を示した図である。図２に例示されるように、入力支援装置１００は、パーソナルコンピュータやワードプロセッサなどを含むコンピュータシステムによって構成されている。
入力支援装置１００は、図２に示すようにシステム全体を制御するための制御部１１を備えている。この制御部１１には、データバスなどのバスラインを介して、キーボード１２、マウス１３などの入力装置、スピーカ１６、表示装置１５、記憶装置１７、また、必要に応じて、記憶媒体駆動装置、通信制御装置、入出力Ｉ／Ｆ（インタフェース）が接続されている。
制御部１１は、ＣＰＵ（中央処理装置）１１１、ＲＯＭ（リードオンリメモリ）１１２、ＲＡＭ（ランダムアクセスメモリ）１１３を備えている。また、スピーカ１６は、作業者に対する入力支援として、表示装置１５に表示された内容などの音声出力を行う音声出力装置である。
【００１５】
表示装置１５は、例えばＣＲＴ（Ｃａｔｈｏｄｅ−ｒａｙ　Ｔｕｂｅ）や液晶ディスプレイなどが使用される。この表示装置１５には、キーボード１２、マウス１３からの操作入力に応じて、γ線核種分析に関する各画面などが表示されるようになっている。また、表示装置１５をタッチパネルとして機能させることも可能であり、この場合、作業者は、表示装置１５に表示された画面上の所定個所をタッチすることにより、必要事項の入力や選択を行うことができる。
【００１６】
記憶装置１７は、読み書き可能な記憶媒体と、その記憶媒体に対してプログラムやデータなどの各種情報を読み書きするための駆動装置で構成され、γ線核種分析プログラム１７１、データ格納部１７２の他、適宜プログラムやデータなどを格納している。データ格納部１７２は入力項目テーブル１７２１とメニュー項目テーブル１７３１を格納している。入力項目テーブル１７２１には、入力候補１７２２と設定項目１７２３（第１の設定項目格納手段に対応）が格納されている。メニュー項目テーブル１７３１には、メニュー候補１７３２と設定項目１７３３（第２の設定項目格納手段に対応）が格納されている。
【００１７】
γ線核種分析プログラム１７１は、γ線を含む核種（１４　４Ｃｅ，９９Ｍｏなど）を対象に測定、分析、分析結果の出力、及び測定や分析に使用するデータの入力支援、などを行うプログラムである。このプログラムにより入力支援装置１００としての機能が実現される。制御部１１は、上記γ線核種分析プログラム１７１に従って動作し、入力支援装置１００の各部を制御する。具体的には、図２に示すキーボード１２、マウス１３などの入力装置からの入力に応じて、放射能測定に関する作業の入力メニューを表示装置１５に表示する。このメニュー表示の際にはメニュー項目テーブル１７３１の設定項目１７３３及びメニュー候補１７３２（詳細は後述する）を参照し、設定項目ごとに該当するメニュー候補を表示装置１５に表示する。また、入力装置からの入力に応じて設定項目１７３３の登録内容を変更する。この登録内容には入力メニューの項目及び表示順序が含まれる。
【００１８】
また、表示された入力メニューに含まれる放射能測定に関する作業の選択に応じて、入力項目テーブル１７２１の設定項目１７２３及び入力候補１７２２（詳細は後述する）を参照し、設定項目ごとに該当する入力候補を表示装置１５に表示する。この表示された入力候補のいずれかが作業者によって選択されると、当該入力候補を確定する。また、確定された入力候補に基づいて測定されたデータから求めた分析結果を帳票フォーマットに関連付けて出力する。これにより、入力支援装置１００に接続された放射能測定装置１０を使用した放射能の測定、入力メニューの表示、入力メニューの項目及び表示順序の登録、検出器の選択、測定開始、測定条件の設定、試料情報の入力、分析情報の設定、分析、分析結果出力などが実現される。
【００１９】
図３は、メニュー候補１７３２のテーブルの一例を示した図である。メニュー候補１７３２には、図３に示すようにＦｏｒｍＩＤとＦｏｒｍＴｉｔｌｅとＭｅｎｕＴｉｔｌｅが対応付けて格納されている。
ＭｅｎｕＴｉｔｌｅは、入力メニューの候補であり、例えば、試料分類選択、分析方法選択、検出器選択などのメニュー候補がある。
ＦｏｒｍＴｉｔｌｅは、各メニュー候補の表示内容であり、例えば、試料分類選択のメニュー候補には「試料分類を選択して下さい」があり、分析方法選択のメニュー候補には「分析方法を選択して下さい」がある。また、ＦｏｒｍＩＤは、個々のＦｏｒｍＴｉｔｌｅに対応付けた固有番号である。
【００２０】
図４は、設定項目１７３３のテーブルの一例を示した図である。設定項目１７３３には、図４に示すようにＩＤとＯｒｄｅｒＮｏとＦｏｒｍＩＤとが対応付けて格納されている。
ＩＤは、入力メニュー表示順序のパターンに対応付けされた設定項目のパラメータＩＤである。ＦｏｒｍＩＤは、図３の個々のＦｏｒｍＴｉｔｌｅに対応づけた固有番号と同じものであり、図４の設定項目１７３３では、ＩＤに対応付けされている。ＯｒｄｅｒＮｏは、ＦｏｒｍＩＤに対応するＦｏｒｍＴｉｔｌｅの表示順序である。
【００２１】
例えば、設定項目１７３３のテーブルにあるＩＤ＿Ａ１が表示順序パターンその１のパラメータＩＤであるとする。制御部１１は、表示装置１５の画面において表示順序パターンその１選択のボタンが選択された場合、設定項目１７３３のテーブルにあるＩＤ＿Ａ１に対応付けされているＯｒｄｅｒＮｏ１〜１８の順序に従って入力メニューの表示を行う。この表示の際には、先ず、現在の表示順序のＯｒｄｅｒＮｏに対応付けされているＦｏｒｍＩＤを読み出す。次いで、メニュー候補１７３２から該ＦｏｒｍＩＤに対応付けされているＦｏｒｍＴｉｔｌｅを読み出し、表示装置１５に表示させる。
【００２２】
このように、図３や図４に示したテーブルは、例えば、所定のＩＤに関する項目が表示装置１５において選択された場合（表示順序パターンが選択された場合）、制御部１１によって当該ＩＤに対応付けされているＯｒｄｅｒＮｏに従って順次ＦｏｒｍＩＤが参照され、このＦｏｒｍＩＤにさらに関連付けされているＦｏｒｍＴｉｔｌｅがメニュー候補として表示されるときに利用される。
なお、設定項目１７３３のＩＤは、例えば、表示順序パターンその１をＩＤ＿Ａ１、表示順序パターンその２をＩＤ＿Ａ２というように、表示装置１５に表示される入力メニュー表示順序パターンの候補に応じて設定されているものとする。
【００２３】
図５は、入力支援装置１００の表示装置１５に表示される画面であって、利用者がある表示順序パターンの登録内容を変更するための入力画面の一例の図である。利用者はマウス１３を使用してこの入力画面の操作を行い、メニュー候補１７３２及び設定項目１７３３の登録内容を変更することができる。
【００２４】
図５において、画面５１内にはメニュー候補１７３２に登録されている全メニュー候補に対応するボタンが表示される。例えば、図３のＦｏｒｍＩＤ１７の「フィルタ厚さ選択」のボタンＢ５１１、ＦｏｒｍＩＤ１４の「採取流量入力」のボタンＢ５１２、ＦｏｒｍＩＤ１５の「オフガス流量入力」のボタンＢ５１３などがある。利用者は、画面追加用ボタンＢ５０１をクリックして画面追加入力画面を表示し、メニュー候補１７３２に新たなメニュー候補を追加することができる。
【００２５】
画面５２内には、設定項目１７３３の登録内容に基づいて、現在編集中の表示順序パターンに該当するメニュー候補に対応するボタンが、該当する表示順序で表示される。例えば、図４のＩＤ＿Ａ１の表示順序パターンでは、先ずＯｒｄｅｒＮｏ１に対応するＦｏｒｍＩＤ５の「施設名選択」のボタンＢ５２１が表示され、以降、ＦｏｒｍＩＤ６の「試料名選択」のボタンＢ５２２、ＦｏｒｍＩＤ７の「試料形状選択」のボタンＢ５２３、ＦｏｒｍＩＤ８の「試料位置選択」のボタンＢ５２４、ＦｏｒｍＩＤ２９の「分析情報入力」のボタンＢ５２５、ＦｏｒｍＩＤ９の「測定者選択」のボタンＢ５２６、というようにＯｒｄｅｒＮｏによる表示順序に従って、順次、該当するメニュー候補に対応するボタンが表示される。
【００２６】
利用者は、ドラッグ・アンド・ドロップ操作により、画面５１内のボタンを画面５２内へ移動することにより、該ボタンのメニュー候補を現在編集中の表示順序パターンのＩＤの新規メニュー候補として設定項目１７３３へ追加登録することができる。反対に画面５２内のボタンを画面５１内へ移動することにより、該ボタンのメニュー候補を設定項目１７３３の登録内容から削除することができる。また、画面５２内において、ボタンの位置を変更することにより、該変更後の位置に従った表示順序に設定項目１７３３の表示順序の登録内容を変更することができる。
ボタンＢ５０２はメニュー候補１７３２及び設定項目１７３３の登録内容を図５の入力画面の内容に従って更新するためのボタンである。ボタンＢ５０３は図５の入力画面の内容に基づく更新をキャンセルするためのボタンである。
【００２７】
図６は、入力候補１７２２のテーブルの一例を示した図である。入力候補１７２２には、図６に示すようにＦｏｒｍＩＤとＦｏｒｍＴｉｔｌｅとが対応付けて格納されている。
ＦｏｒｍＴｉｔｌｅは、入力候補であり、例えば、試料分類、分析方法、検出器情報、プリセット値、測定条件などの入力候補がある。また、ＦｏｒｍＩＤは、個々のＦｏｒｍＴｉｔｌｅに対応付けた固有番号である。
【００２８】
図７は、設定項目１７２３のテーブルの一例を示した図である。設定項目１７２３には、図７に示すようにＩＤとＦｏｒｍＩＤとが対応付けて格納されている。
ＩＤは、分析装置、検出器、試料分類、採取場所、プリセット値、放射能測定装置などの作業者が選択する放射能測定に関する作業に対応付けされた設定項目のパラメータＩＤである。ＦｏｒｍＩＤは、図６の個々のＦｏｒｍＴｉｔｌｅに対応づけた固有番号と同じものであり、図７の設定項目１７２３では、ＩＤに対応付けされている。
【００２９】
例えば、設定項目１７２３のテーブルにあるＩＤ５１が試料分類の表示に関するパラメータＩＤであるとする。制御部１１は、表示装置１５の画面において試料分類選択のボタンが選択された場合、設定項目１７２３のテーブルにあるＩＤ５１に対応付けされているＦｏｒｍＩＤの固有番号０〜９を読み出す。そして、入力候補１７２２からＦｏｒｍＩＤの固有番号０〜９に対応付けされているＦｏｒｍＴｉｔｌｅを読み出し、表示装置１５に表示させる。
【００３０】
このように、図６や図７に示したテーブルは、例えば、所定のＩＤに関する項目が表示装置１５において選択された場合（放射能測定に関する作業が選択された場合）、制御部１１によって当該ＩＤに対応付けされているＦｏｒｍＩＤが参照され、このＦｏｒｍＩＤにさらに関連付けされているＦｏｒｍＴｉｔｌｅが入力候補として表示されるときに利用される。
なお、設定項目１７２３のＩＤは、例えば、試料分類をＩＤ５１、プリセット値をＩＤ５２というように、表示装置１５に表示される放射能測定に関する作業内容に応じて設定されているものとする。
【００３１】
次に、本実施形態の入力支援装置１００が行う入力支援処理に係る動作について図８ないし図３９を参照して説明する。
図８は、図１の放射能測定システムにおける放射能測定処理の処理手順の一例を示したフローチャートである。図９ないし図３８は、入力支援装置１００の表示装置１５に表示される画面であって、入力メニューの表示順序パターンの一例を説明するための入力画面である。
まず、試料の採取を行う（ステップＳ８０１）。次に、作業者は、入力支援装置１００のγ線核種分析システムのアプリケーションを起動させる。作業者によってγ線核種分析システムのアプリケーションが起動されると、制御部１１は、表示装置１５に図９に示すようなγ線核種分析システムの画面を表示させる。このγ線核種分析システムとして表示装置１５に表示される各画面において、作業者は、試料情報、測定に使用する検出器の選択、測定開始、測定条件の設定、試料情報の入力、分析情報の設定、分析、分析結果出力などを行うことができるようになっている。
【００３２】
まず、γ線核種分析システムの画面において、作業者がγ線核種分析９１のアイコンを選択すると、制御部１１は、入力メニューの表示順序パターンの選択画面を表示する。利用者がこの選択画面により表示順序パターンを選択すると、制御部１１は、設定項目１７３３のテーブルにおいて該選択された表示順序パターンのＩＤに対応付けされた表示順序１番目の設定項目を参照し、メニュー候補１７３２に格納されている該当する試料分類選択のメニュー候補を、図１０に示すような試料分類選択入力メニューに対応する入力候補選択画面として表示させる。
【００３３】
また、制御部１１は、設定項目１７２３のテーブルにおいて試料分類のＩＤに対応付けされた設定項目を参照し、入力候補１７２２に格納されている試料分類の入力候補を、図１０に示す試料分類の入力候補選択画面として表示させる。なお、以下の説明において、各入力候補選択画面の入力候補を表示する動作も同様であり、入力候補表示処理の説明は省略する。
【００３４】
また、図１０に示す試料分類の入力候補選択画面のように、「編集」ボタンＢ１０１が表示される画面がある。このボタンＢ１０１は、入力項目テーブル１７２１及びメニュー項目テーブル１７３１の内容を変更するための入力画面を呼び出すためのボタンである。例えば、メニュー項目テーブル１７３１の内容を変更する場合には、上記図５に示す表示順序パターンの設定内容を変更するための入力画面が表示される。
【００３５】
次いで、図１０の試料分類選択画面において、作業者が「放出廃液分析」のボタンＢ１０２をクリックすると、制御部１１は、設定項目１７３３のテーブルにおいて表示順序２番目の設定項目を参照し、メニュー候補１７３２に格納されている該当する分析方法選択のメニュー候補を、図１１に示すような分析方法選択入力メニューに対応する入力候補選択画面として表示させる。
【００３６】
次いで、図１１の分析方法選択画面において、作業者が「測定」のボタンＢ１１１をクリックすると、制御部１１は、設定項目１７３３のテーブルにおいて表示順序３番目の設定項目を参照し、メニュー候補１７３２に格納されている該当する検出器選択のメニュー候補を、図１２に示すような検出器選択入力メニューに対応する入力候補選択画面として表示させる。
【００３７】
ここで、利用者が「音声ガイド」ボタンＢ１２２をクリックして「音声ＯＮ」にすると、制御部１１は、スピーカ１６から入力候補の選択について音声ガイダンスで案内を行う。この場合、各画面において作業者が入力または選択を忘れた項目がある場合、「○○の項目を選択してください」というように、注意を促すこともできる。
【００３８】
次いで、図１２の検出器選択画面において、作業者が「Ｇｅ（ゲルマニウム半導体検出器）−１」のボタンＢ１２１をクリックすると、制御部１１は、設定項目１７３３のテーブルにおいて表示順序４番目の設定項目を参照し、メニュー候補１７３２に格納されている該当する試料セット完了入力のメニュー候補を、図１３に示すような試料セット完了入力メニューに対応する入力候補選択画面として表示させる。
【００３９】
ここで、作業者は、採取した試料を放射能測定装置１０にセットする（ステップＳ８０２）。次に、作業者は、試料測定用の入力（ステップＳ８０３）とγ線核種分析を行うために必要な試料情報の入力（ステップＳ８０４）を以下に示すようにして行う。
【００４０】
まず図１３の試料セット完了入力画面において、作業者が「完了」のボタンＢ１３１をクリックすると、制御部１１は、表示順序５番目の設定項目に基づいて図１４に示すような試料位置選択入力メニューに対応する入力候補選択画面を表示させる。次いで、図１４の試料位置選択入力画面において、作業者が「１段目（チェンジャＬｏｗ）」のボタンＢ１４１をクリックすると、制御部１１は、表示順序６番目の設定項目に基づいて図１５に示すようなＭＣＡ初期化確認入力メニューに対応する入力候補選択画面を表示させる。次いで、作業者が「はい」のボタンＢ１５１をクリックすると、制御部１１は、表示順序７番目の設定項目に基づいて図１６に示すようなプリセット値（測定時間）入力メニューに対応する入力候補選択画面を表示させる。
【００４１】
次いで、作業者が「３００秒」のボタンＢ１６１をクリックすると、制御部１１は、表示順序８番目の設定項目に基づいて図１７に示すようなＭＣＡ起動開始確認入力メニューに対応する入力候補選択画面を表示させる。次いで、作業者が「はい」のボタンＢ１７１をクリックすると、制御部１１は、ＭＣＡ２０を起動後、表示順序９番目の設定項目に基づいて図１８に示すような共通情報収集中の旨を報知する画面を表示させ、共通情報収集完了後に、表示順序１０番目の設定項目に基づいて図１９に示すような施設名選択入力メニューに対応する入力候補選択画面を表示させる。
【００４２】
次いで、作業者が「１号機」のボタンＢ１９１をクリックすると、制御部１１は、表示順序１１番目の設定項目に基づいて図２０に示すような試料名選択入力メニューに対応する入力候補選択画面を表示させる。次いで、作業者が「Ｃ／Ｂ主冷凍機冷却水系冷却水」のボタンＢ２００をクリックすると、制御部１１は、表示順序１２番目の設定項目に基づいて図２１に示すような試料形状選択入力メニューに対応する入力候補選択画面を表示させる。
【００４３】
次いで、作業者が「フィルタ（２５ｍｍφ）」のボタンＢ２１１をクリックすると、制御部１１は、表示順序１３番目の設定項目に基づいて図２２に示すような試料高入力メニューに対応する入力候補選択画面を表示させる。次いで、作業者が試料高を入力して「決定」のボタンＢ２２１をクリックすると、制御部１１は、表示順序１４番目の設定項目に基づいて図２３に示すような試料密度入力メニューに対応する入力候補選択画面を表示させる。次いで、作業者が試料密度を入力して「決定」のボタンＢ２３１をクリックすると、制御部１１は、表示順序１５番目の設定項目に基づいて図２４に示すような試料材質選択入力メニューに対応する入力候補選択画面を表示させる。
【００４４】
次いで、作業者が「水」のボタンＢ２４１をクリックすると、制御部１１は、表示順序１６番目の設定項目に基づいて図２５に示すような測定者選択入力メニューに対応する入力候補選択画面を表示させる。次いで、作業者が「測定者Ａ」のボタンＢ２５１をクリックすると、制御部１１は、表示順序１７番目の設定項目に基づいて図２６に示すような採取流量入力メニューに対応する入力候補選択画面を表示させる。次いで、作業者が採取流量を入力して「決定」のボタンＢ２６１をクリックすると、制御部１１は、表示順序１８番目の設定項目に基づいて図２７に示すような採取日時入力メニューに対応する入力候補選択画面を表示させる。
【００４５】
次いで、作業者が採取日時を入力して「決定」のボタンＢ２７１をクリックすると、制御部１１は、表示順序１９番目の設定項目に基づいて図２８に示すような試料量入力メニューに対応する入力候補選択画面を表示させる。次いで、作業者が試料量を入力して「決定」のボタンＢ２８１をクリックすると、制御部１１は、表示順序２０番目の設定項目に基づいて図２９に示すような試料量単位選択入力メニューに対応する入力候補選択画面を表示させる。次いで、作業者が「ｃｍ３」のボタンＢ２９１をクリックすると、制御部１１は、表示順序２１番目の設定項目に基づいて図３０に示すような採取効率入力メニューに対応する入力候補選択画面を表示させる。
【００４６】
次いで、作業者が採取効率を入力して「決定」のボタンＢ３００をクリックすると、制御部１１は、表示順序２２番目の設定項目に基づいて図３１に示すようなスペクトルファイル名確認入力メニューに対応する入力候補選択画面を表示させる。次いで、作業者がスペクトルファイル名確認後に「決定」のボタンＢ３１１をクリックすると、制御部１１は、表示順序２３番目の設定項目に基づいて図３２に示すようなコメント入力メニューに対応する入力候補選択画面を表示させる。次いで、作業者がコメントを入力して「決定」のボタンＢ３２１をクリックすると、制御部１１は、表示順序２４番目の設定項目に基づいて図３３に示すような入力パラメータ確認入力メニューに対応する入力候補選択画面を表示させる。
【００４７】
次いで、作業者が入力パラメータ確認後に「了解」のボタンＢ３３１をクリックすると、放射能測定装置１０が試料測定を開始し（ステップＳ８０５）、制御部１１は、表示順序２５番目の設定項目に基づいて図３４に示すような測定実行中の旨を報知する画面を表示させる。次いで、測定完了後に、制御部１１は、γ線核種分析プログラム１７１に従って、γ線核種の分析を開始し（ステップＳ８０６）、表示順序２６番目の設定項目に基づいて図３５に示すような分析実行中の旨を報知する画面を表示させる。次いで、分析完了後に、制御部１１は、表示順序２７番目の設定項目に基づいて図３６に示すような帳票確認入力メニューに対応する入力候補選択画面を表示させる。また、制御部１１は、測定されたデータから求めた分析結果を図３６の帳票確認入力画面内に分析結果画面として表示装置１５に表示する。この分析結果は、所定の帳票形式を有する帳票フォーマットと関連付けて出力することができるようになっている。
【００４８】
ここで、作業者が「出力条件」のボタンＢ３６２をクリックすると、制御部１１は、図３８にしめすような分析結果の出力条件画面を表示させる。利用者はこの入力画面により、帳票フォーマットに関連付けられる分析結果の編集を行うことができる。制御部１１は、作業者が出力条件画面で設定した設定内容を出力条件データとしてデータ格納部１７２に格納しておく。
【００４９】
次いで、作業者が帳票確認後に「了解」のボタンＢ３６１をクリックすると、制御部１１は、データ格納部１７２に格納されている帳票フォーマットと出力条件データに従って、図３９に示すような帳票を出力し（ステップＳ８０７）、表示順序２８番目の設定項目に基づいて図３７に示すような処理終了確認入力メニューに対応する入力候補選択画面を表示させる。次いで、作業者が「終了」のボタンＢ３７１をクリックすると、制御部１１は、その処理を終了する。
【００５０】
以上、本発明の入力支援装置および入力支援方法における一実施形態について説明したが、本発明は説明した実施形態に限定されるものではなく、各種の変形を行うことが可能である。
例えば、γ線核種分析プログラムの所定画面において、パスワード入力画面を表示させ、入力されたパスワードを認証することにより、作業者による各種設定変更を受け付けるかどうか判断するようにしてもよい。
【００５１】
本実施形態の入力支援装置１００では、制御部１１のＣＰＵ１１１が、記憶装置１７に格納されているγ線核種分析プログラム１７１に基づいて、入力支援処理を行うものとして説明したが、これに限られるものではない。例えば、記憶媒体を入力支援装置にセットし、この外部の記憶媒体からコンピュータを入力支援装置として機能させるためのプログラムを読み込んで、記憶装置１７の各部に格納（インストール）する。そして、本実施形態による測定処理、試料情報の入力処理、分析処理などを実行する場合、記憶装置１７から該当プログラムをＲＡＭ１１３に読み込み、実行するようにしてもよい。なお、記憶装置１７からではなく、記憶媒体駆動装置により外部の記憶媒体から直接ＲＡＭ１１３にプログラムを読み込んで実行するようにしてもよい。
【００５２】
以上、本実施の形態の入力支援装置、入力支援方法および入力支援プログラムでは、放射能測定に関する作業が指定された場合、当該作業に対応する第１の設定項目ごとに入力候補を表示させ、表示された入力候補のいずれかが選択されると当該入力候補を確定するので、放射能測定を行う際に、作業者による入力操作回数を減少することができ、操作性の向上を図ることができる。この結果として誤入力を防止することができる。
【００５３】
さらに、表示順序パターンが指定された場合、当該表示順序パターンに対応する第２の設定項目ごとに、該表示順序に従って該当するメニュー候補を表示させる。さらに、表示順序パターンの登録内容の変更入力内容に従って該当する登録内容を更新するので、入力メニューの項目及び表示順序を容易に変更することができる。この結果として入力作業の能率向上を図ることが可能となる。
【００５４】
また、本実施の形態の入力支援装置、入力支援方法および入力支援プログラムでは、確定された入力候補に基づいて測定されたデータから求めた分析結果を前記帳票フォーマットと関連付けて出力するので、分析結果がそのまま帳票中に出力され、分析結果を帳票に書き写す手間を軽減することができる。
また、分析結果に基づく出力内容を編集可能となっているので、帳票のカスタマイズを容易に行うことができる。
【００５５】
【発明の効果】
以上説明したように、本発明の入力支援装置、入力支援方法および入力支援プログラムは、放射能測定に関する作業が指定された場合、当該作業に対応する第１の設定項目ごとに入力候補を表示させ、表示された入力候補のいずれかが選択されると当該入力候補を確定するので、作業者は設定項目を選択することによって自動的に表示される入力候補を選択決定するだけでよいので、作業者による入力操作を簡略化することができ、操作性を向上することができる。これにより誤入力を防止することが可能となる。
さらに、表示順序パターンが指定された場合、当該表示順序パターンに対応する第２の設定項目ごとに、該表示順序に従って該当するメニュー候補を表示させる。さらに、表示順序パターンの登録内容の変更入力内容に従って該当する登録内容を更新するので、入力メニューの項目及び表示順序を容易に変更することができ、入力作業の能率向上を図ることが可能となる。
【図面の簡単な説明】
【図１】本実施形態に係る入力支援装置１００を含む放射能測定システムの構成を示した図である。
【図２】入力支援装置１００の具体的な構成を示した図である。
【図３】メニュー候補のテーブルを示した図である。
【図４】第２の設定項目のテーブルを示した図である。
【図５】入力メニューの表示順序パターンの登録内容を変更するための入力画面を示した図である。
【図６】入力候補のテーブルを示した図である。
【図７】第１の設定項目のテーブルを示した図である。
【図８】放射能測定処理の処理手順を示したフローチャートである。
【図９】γ線核種分析システムの画面を示した図である。
【図１０】試料分類の入力候補選択画面を示した図である。
【図１１】分析方法の入力候補選択画面を示した図である。
【図１２】検出器の入力候補選択画面を示した図である。
【図１３】試料セット完了の入力画面を示した図である。
【図１４】試料位置の入力候補選択画面を示した図である。
【図１５】ＭＣＡ初期化確認の入力画面を示した図である。
【図１６】プリセット値の入力候補選択画面を示した図である。
【図１７】ＭＣＡ機動開始確認の入力画面を示した図である。
【図１８】共通情報収集実行中の報知画面を示した図である。
【図１９】施設名の入力候補選択画面を示した図である。
【図２０】試料名の入力候補選択画面を示した図である。
【図２１】試料形状の入力候補選択画面を示した図である。
【図２２】試料高さの入力画面を示した図である。
【図２３】試料密度の入力画面を示した図である。
【図２４】試料材質の入力候補選択画面を示した図である。
【図２５】測定者の入力候補選択画面を示した図である。
【図２６】採取流量の入力画面を示した図である。
【図２７】採取日時の入力画面を示した図である。
【図２８】試料量の入力画面を示した図である。
【図２９】試料量単位の入力候補選択画面を示した図である。
【図３０】採取効率の入力画面を示した図である。
【図３１】スペクトルファイル名確認の入力画面を示した図である。
【図３２】コメントの入力画面を示した図である。
【図３３】入力パラメータ確認の入力画面を示した図である。
【図３４】測定実行中の報知画面を示した図である。
【図３５】分析実行中の報知画面を示した図である。
【図３６】帳票確認の分析結果画面を示した図である。
【図３７】処理終了確認の入力画面を示した図である。
【図３８】分析結果の出力条件画面を示した図である。
【図３９】帳票の一例を示した図である。
【符号の説明】
１０　　　放射能測定装置
１１　　　制御部
１２　　　キーボード
１３　　　マウス
１５　　　表示装置
１６　　　スピーカ
１７　　　記憶装置
２０　　　ＭＣＡ
１００　　入力支援装置
１７１　　γ線核種分析プログラム
１７２　　データ格納部
１７２１　入力項目テーブル
１７２２　入力候補
１７２３　第１の設定項目
１７３１　メニュー項目テーブル
１７３２　メニュー候補
１７３３　第２の設定項目
【図１】
2004028657.tif 000003
【図２】
2004028657.tif 000004
【図３】
2004028657.tif 000005
【図４】
2004028657.tif 000006
【図５】
2004028657.tif 000007
【図６】
2004028657.tif 000008
【図７】
2004028657.tif 000009
【図８】
2004028657.tif 000010
【図９】
2004028657.tif 000011
【図１０】
2004028657.tif 000012
【図１１】
2004028657.tif 000013
【図１２】
2004028657.tif 000014
【図１３】
2004028657.tif 000015
【図１４】
2004028657.tif 000016
【図１５】
2004028657.tif 000017
【図１６】
2004028657.tif 000018
【図１７】
2004028657.tif 000019
【図１８】
2004028657.tif 000020
【図１９】
2004028657.tif 000021
【図２０】
2004028657.tif 000022
【図２１】
2004028657.tif 000023
【図２２】
2004028657.tif 000024
【図２３】
2004028657.tif 000025
【図２４】
2004028657.tif 000026
【図２５】
2004028657.tif 000027
【図２６】
2004028657.tif 000028
【図２７】
2004028657.tif 000029
【図２８】
2004028657.tif 000030
【図２９】
2004028657.tif 000031
【図３０】
2004028657.tif 000032
【図３１】
2004028657.tif 000033
【図３２】
2004028657.tif 000034
【図３３】
2004028657.tif 000035
【図３４】
2004028657.tif 000036
【図３５】
2004028657.tif 000037
【図３６】
2004028657.tif 000038
【図３７】
2004028657.tif 000039
【図３８】
2004028657.tif 000040
【図３９】
2004028657.tif 000041